(57)【要約】【課題】本発明は、飲み口を密封する蓋材の内側にくじ等の情報を印刷し、この蓋材を用いた紙製筒状容器であって、飲み口を密封している蓋材を剥がし、開口することにより蓋材に設けられたくじ等の情報を提供することにより、他の飲料容器より付加価値を付与した紙製筒状容器を提供するものである。【解決手段】容器本体の上部に開口された飲み口部（注出部）（２１）を密封する紙、アルミ箔、プラスチックフィルムのいずれか又は、それらの積層材料からなる下面にシーラント層を有する蓋材（１０）でシールした紙を主体とした積層材料からなる紙製筒状容器（３０）であって、前記蓋材（１０）のシール部より内側にくじ等の表示層（１４）を設けたことを特徴とする紙製筒状容器である。【選択図】図１
2006298379.tif 000002
【特許請求の範囲】
【請求項１】
紙を主体とした積層材料からなる容器本体と、この容器本体の上部に開口された飲み口部（注出部）（２１）をシール密封する蓋材（１０）であって、紙、アルミ箔、プラスチックフィルムのいずれか又はそれらの積層材料の下面にシーラント層を設けてなる蓋材（１０）とで構成される紙製液体用容器において、
前記蓋材のシール部より内側にくじ等の表示層（１４）を設けたことを特徴とする紙製液体用容器。
【請求項２】
前記表示層（１４）が、蓋材（１０）のシーラント層より外側に設けたことを特徴とする請求項１に記載の紙製液体用容器。
【請求項３】
前記表示層（１４）は、くじ、おみくじ、懸賞に応募するための暗証、運勢等のいずれかであることを特徴とする請求項１または請求項２に記載の紙製液体用容器。
【発明の詳細な説明】
【技術分野】
【０００１】
本発明は、開口された飲み口を密封する蓋材の内側にくじ等の情報を印刷し、この蓋材を用いた紙製筒状容器に関し、飲み口を開口することにより当たり等の情報を提供することにより、他の飲料容器との差別化を図るくじ等を付与した紙製液体用容器に関するものである。
【背景技術】
【０００２】
現在、飲料（ジュース、コーヒー、お茶等）等の液体用の容器としてアルミニウムやスチール等の金属缶を主体とするもの、さらに牛乳等の容器としてゲーベルトップ型や箱型の紙容器等が使用されている。
【０００３】
これに対して、近年、アルミニウムやスチール等の金属缶に代わる容器として、紙製筒状容器が開発されている。すなわち、リサイクルは可能であるが金属缶の製造コストは高く、これにより販売価格も比較的高いものとなっている。また、金属缶はビール等に代表される炭酸飲料を充填しても強度的に破損の心配が比較的低い等の理由により多く採用されている。これに対して紙製筒状容器は、ジュース、コーヒー、お茶等の飲料用には十分適応するが、搬送時やビール等の炭酸が多く含まれた内容物によっては、容器強度の点で金属缶に比べると問題点があるが、紙製のために廃棄や焼却処分を行っても公害の心配はない。
【特許文献１】特開平２００２−１０４４８４号公報
【特許文献２】特開平２００４−２０３４１６号公報
【発明の開示】
【発明が解決しようとする課題】
【０００４】
そこで付加価値を付与するために、くじ等を付与することが検討されたが、金属缶の場合には、直接缶に付与することが難しく、利用者は缶に貼られたシール等を剥がし、はがき等に貼って送り景品等を抽選により得られるようにしていることが多い。これらの場合に販売促進に利用しているが、利用者にとっては面倒な点が多い。これに対して、紙製筒状容器の場合は、シール等も利用することができるが、飲み口部を密封する蓋材等を利用することにより、安価で付加価値を付与することが可能で、さらに利用者はその場で当たり、外れ等が直接判断することが可能となり利便性が生じる。
【０００５】
そこで本発明は、飲み口を密封する蓋材の内側にくじ等の情報を印刷し、この蓋材を用いた紙製容器であって、飲み口を密封している蓋材を剥がし、開口することにより蓋材に設けられた当たり等の情報を提供することで、金属缶等の飲料容器より付加価値を付与した紙製容器を提供するものである。
【課題を解決するための手段】
【０００６】
本発明の請求項１は、
紙を主体とした積層材料からなる容器本体と、この容器本体の上部に開口された飲み口部（注出部）（２１）をシール密封する蓋材（１０）であって、紙、アルミ箔、プラスチックフィルムのいずれか又はそれらの積層材料の下面にシーラント層を設けてなる蓋材（１０）とで構成される紙製液体用容器において、
前記蓋材（１０）のシーラント層の内側にくじ等の表示層（１４）を設けたことを特徴とする紙製液体用容器である。
【０００７】
本発明の請求項２は、請求項１に記載の紙製液体用容器において、
前記表示層（１４）が、蓋材（１０）のシーラント層より外側に設けられていることを特徴とするものである。
【０００８】
本発明の請求項３は、請求項１または請求項２に記載の紙製液体用容器において、
前記表示層（１４）は、くじ、おみくじ、懸賞に応募するための暗証、運勢等のいずれかであることを特徴とするものである。
【発明の効果】
【０００９】
本発明は、紙製液体用容器等の容器本体の上部に開口された飲み口部（注出部）を密封する積層材料からなる蓋材に、この蓋材のシーラント層の内側、或いは外側にくじ等の表示層を設けたことを特徴とするもので、しかもこの蓋材は易開封性を有する。そして、この液体用容器として、前記筒状容器を利用すれば、アルミ缶等の金属缶にはない付加価値を付けることにより差別化することができる。
【００１０】
また、表示層を設けた蓋材は、容易に表示内容を判別することができ、さらにあたり等のくじ以外は、充填された内容物を飲むことにより、容器本体とともに容易に燃焼可能なゴミとして廃棄することができる等の優れた効果を奏する。
【発明を実施するための最良の形態】
【００１１】
図１は、本発明の一実施例における蓋材の積層断面説明図である。図２は、本発明の一実施例における紙製液体用容器の概略説明図で、紙製液体用容器として筒状容器を使用したものである。そして、図１（Ａ）は、紙製筒状容器の全体図の一例を示す説明図であり、（Ｂ）は、紙製筒状容器の飲み口部を設けこの飲み口部を蓋材により密封した密封蓋部材の説明図である。
【００１２】
本発明は、容器本体の上部に開口された飲み口部（注出部）（２１）を密封する紙、アルミ箔、プラスチックフィルムのいずれか又は、それらの積層材料からなり下面にシーラント層を有する蓋材（１０）で、この蓋材により飲み口部（２１）をシール密封したもので、さらに容器本体においても紙を主体とした積層材料からなる紙製筒状容器を利用したもので、この蓋材（１０）にはシール部（下層のシーラント層）より内側にくじ等の表示層（１４）を設けたことを特徴とする紙製筒状容器である。このくじ等の表示層（１４）は、シール部より内側に設けることに限定するものではなく、図示はしないが蓋材（１０）のシーラント層より外側に設けることでも良い。
【００１３】
また、蓋材（１０）に設ける表示層（１４）は、限定するものではなくくじ、おみくじ、懸賞に応募するための暗証、運勢等のいずれかを表示したものである。
【００１４】
本発明の最良の形態を図に基づき説明する。
【００１５】
図１に示すように、本発明における蓋材（１０）の構成は上層から、ポリエチレンテレフタレートフィルム（ＰＥＴ）（１１）／絵柄層（１２）／紙層（１３）／くじ等の表示層（１４）／無機化合物蒸着プラスチックフィルム（１５）／延伸ナイロンフィルム（ＯＮｙ）（１６）／延伸ポリプロピレンフィルム（ＯＰＰ）（１７）により構成された積層フィルムである。絵柄層（１２）は紙層（１３）上に適宜な模様、絵柄等でよくこの蓋材の意匠性を向上させるものである。表示層（１４）はくじ、おみくじ、懸賞に応募するための暗証、運勢等のいずれかを設けたもので、基本的には無機化合物蒸着プラスチックフィルム（１５）上に印字、印刷等により表示したものであるが、限定されるものではなく、無機化合物蒸着プラスチックフィルム（１５）の裏面側よりの外側のフィルムや、シー
ラント層（蓋材のシール部を含む）にこの表示層（１４）を設けることも可能である。
【００１６】
また、上層の模様や絵柄ばかりでなく、シーラント層（蓋材のシール部を含む）面にも模様などの絵柄層を設けることで表示層をカモフラージュさせることも可能である。
【００１７】
この蓋材（１０）の構成は、ポリエチレンテレフタレートフィルムに絵柄等を設けた紙層とくじ等の表示層を印刷した無機化合物蒸着プラスチックフィルムと、延伸ナイロンフィルムと延伸ポリプロピレンフィルムを熱溶融等のラミネートにより蓋材積層シートを作成したものである。
【００１８】
次に、本発明における紙製筒状容器の一例を示すならば、図２（Ａ）に示すように、紙を基材とする複合シートからなる筒状の胴部材（２０）の上部及び下部の胴部材の開口端に胴部材を密封する飲み口部（２１）を有する密封蓋部材（２２）と、飲み口を設けずに密封底部材（２５）を熱融着により接合してなる紙製筒状容器（３０）である。また、図２（Ｂ）に示すように、飲み口部（２１）を有する密封蓋部材（２２）の飲み口部（２１）を塞ぐように蓋材（１０）シートをシールするものである。なお、紙製筒状容器は一例を示したもので特に限定はせず、紙製液体容器であれば何れも使用可能である。
【００１９】
このくじ等を付与した紙製筒状容器の作成方法は、胴部材（２０）に密封底部材（２５）と飲み口部（２１）を設けた密封蓋部材（２２）とをはめ込んで、飲み口部（２１）よりジュース等の内容物を充填した後、この飲み口部に蓋材（１０）を熱シールして密封するものである。予め、密封底部材を設けた紙製筒状容器に、飲み口部を蓋材により予めシールした密封蓋部材を内容物を充填した後にはめ込む方法も可能である。
【００２０】
次に、このジュース等の内容物が入った紙製筒状容器を自動販売機等で購入し、飲み口部（２１）を密封した蓋材（１０）を剥がすことによりシール面の透明なシーラント層より表示層に示されたくじ、おみくじ、懸賞に応募するための暗証、運勢等を判別することができる。
【００２１】
なお、シーラント層に表示層（１４）を設けた場合は、蓋材を剥がすことにより直接くじ等の表示層を判別することができる。
【産業上の利用可能性】
【００２２】
本発明のくじ等を付与した蓋材は、紙製筒状容器のみに限定されるものではなく、飲み口部を設けたあらゆる液体紙容器に利用することが可能である。また、くじ等を付与した蓋材シートは、裏面に粘着剤等を塗布することにより付加価値を付与した金属缶等にも使用することが可能である。
【図面の簡単な説明】
【００２３】
【図１】本発明の一実施例における蓋材の積層断面説明図である。
【図２】本発明の一実施例における紙製筒状容器の概略説明図で、（Ａ）は、紙製筒状容器の全体図の一例を示す説明図であり、（Ｂ）は、紙製筒状容器の飲み口部を設けこの飲み口部を蓋材により密封した密封蓋部材の説明図である。
【符号の説明】
【００２４】
１０……蓋材シート
１１……ポリエチレンテレフタレートフィルム
１２……絵柄層
１３……紙層
１４……くじ等の表示層
１５……無機化合物蒸着プラスチックフィルム
１６……延伸ナイロンフィルム
１７……延伸ポリプロピレン
２０……胴部
２１……飲み口部（開口部）
２２……密封蓋部材
２５……密封底部材
３０……紙製筒状容器
【図１】
2006298379.tif 000003
【図２】
2006298379.tif 000004